(57)【要約】【課題】画像表示の高速化を制限せずに縦クロストークを有効に抑制する。【解決手段】走査線１２と信号線１４との各交差に配置された画素回路ＰIXは、画素電極５２に供給される階調電位Ｘ[n]に応じて駆動される液晶素子５０と、走査線１２の選択時に信号線１４と画素電極５２とを導通させる選択スイッチＴSLとを含む。信号線駆動回路３４は、画像データＤGが指定する階調に応じた階調電位Ｘ[n]を走査線１２の選択時に各信号線１４に供給する。画像判定部６２は、選択スイッチＴSLのリークに起因したクロストークの発生の有無を画像データＤGから判定する。電位制御部６４は、クロストークが発生すると判定された場合に、クロストークが発生しないと判定された場合と比較して、高階調および低階調の一方に対応する階調電位Ｘ[n]が高階調および低階調の他方に対応する階調電位Ｘ[n]に近づくように、各階調に対応する階調電位Ｘ[n]を制御する。【選択図】図１
2011034027.tif 000002
【特許請求の範囲】
【請求項１】
複数の走査線と複数の信号線との各交差に対応して配置された複数の画素回路であって、画素電極に供給される階調電位に応じて駆動される電気光学素子と、前記走査線の選択時に前記信号線と前記画素電極とを導通させる選択スイッチとを各々が含む複数の画素回路と、
前記複数の走査線の各々を順次に選択する走査線駆動回路と、
画像データが指定する階調に応じた階調電位を前記走査線の選択時に前記複数の信号線の各々に供給する信号線駆動回路と、
前記選択スイッチのリークに起因したクロストークが発生するか否かを前記画像データに基づいて判定する画像判定手段と、
クロストークが発生すると前記画像判定手段が判定した場合に、クロストークが発生しないと前記画像判定手段が判定した場合と比較して、高階調および低階調の一方に対応する階調電位が前記高階調および前記低階調の他方に対応する階調電位に近づくように、各階調に対応する階調電位を制御する電位制御手段と
を具備する電気光学装置。
【請求項２】
前記高階調に対応する階調電位が前記低階調に対応する階調電位に近づくように前記電位制御手段が前記各階調の階調電位を制御する場合に、前記画像データが指定する階調を高階調側に補正する補正手段
を具備する請求項１の電気光学装置。
【請求項３】
前記低階調に対応する階調電位が前記高階調に対応する階調電位に近づくように前記電位制御手段が前記各階調の階調電位を制御する場合に、前記画像データが指定する階調を低階調側に補正する補正手段
を具備する請求項１の電気光学装置。
【請求項４】
前記電気光学素子は、照射光に対する透過率または反射率が前記階調電位に応じて変化する液晶素子であり、
前記電気光学素子を照明する照明装置と、
前記高階調に対応する階調電位が前記低階調に対応する階調電位に近づくように前記電位制御手段が前記各階調の階調電位を制御する場合に、クロストークが発生しないと前記画像判定手段が判定した場合と比較して前記照明装置の照度を上昇させる照明制御手段と
を具備する請求項１の電気光学装置。
【請求項５】
前記電気光学素子は、照射光に対する透過率または反射率が前記階調電位に応じて変化する液晶素子であり、
前記電気光学素子を照明する照明装置と、
前記低階調に対応する階調電位が前記高階調に対応する階調電位に近づくように前記電位制御手段が前記各階調の階調電位を制御する場合に、クロストークが発生しないと前記画像判定手段が判定した場合と比較して前記照明装置の照度を低下させる照明制御手段と
を具備する請求項１の電気光学装置。
【請求項６】
請求項１から請求項５の何れかの電気光学装置を具備する電子機器。
【請求項７】
複数の走査線と複数の信号線との各交差に対応して配置された複数の画素回路であって、画素電極に供給される階調電位に応じて駆動される電気光学素子と、前記走査線の選択時に前記信号線と前記画素電極とを導通させる選択スイッチとを各々が含む複数の画素回路と、前記複数の走査線の各々を順次に選択する走査線駆動回路と、画像データが指定する階調に応じた階調電位を前記走査線の選択時に前記複数の信号線の各々に供給する信号線駆動回路とを具備する電気光学装置の制御回路であって、
前記選択スイッチのリークに起因したクロストークが発生するか否かを前記画像データに基づいて判定する画像判定手段と、
クロストークが発生すると前記画像判定手段が判定した場合に、クロストークが発生しないと前記画像判定手段が判定した場合と比較して、高階調および低階調の一方に対応する階調電位が前記高階調および前記低階調の他方に対応する階調電位に近づくように、各階調に対応する階調電位を制御する電位制御手段と
を具備する電気光学装置の制御回路。
【発明の詳細な説明】
【技術分野】
【０００１】
本発明は、液晶素子などの電気光学素子を駆動する技術に関する。
【背景技術】
【０００２】
液晶装置などの電気光学装置は、図１５に示すように、複数の走査線１２と複数の信号線１４との各交差に対応して配置された複数の画素回路ＰIXを具備する。各画素回路ＰIXは、画素電極５２と共通電極５４との間に液晶５６を介在させた液晶素子５０と、走査線１２の選択時に画素電極５２と信号線１４とを導通させる選択スイッチＴSLとを含んで構成される。液晶素子５０は、信号線１４から画素電極５２に供給される階調電位Ｘ[n]に応じた階調（透過率や反射率）に制御される。
【０００３】
図１６に示すように、中間調（灰色）を背景として高階調（白色）の図柄Ｗを配置した画像をノーマリーブラックモードのもとで表示させる場合を想定する。図１７に示すように、液晶素子５０に正極性の電圧を印加する垂直走査期間Ｆ1において、図柄Ｗを含む縦方向の領域ＸW内の各信号線１４には、図柄Ｗの上側の領域ＹW1内の各走査線１２が選択される期間ｔ1内に中間調の電位ＶGR[+]が供給され、図柄Ｗを含む領域ＹW2内の各走査線１２が選択される期間ｔ2内に高階調の電位ＶWT[+]が供給される。期間ｔ2にて各信号線１４に階調電位ＶWT[+]が供給されると、選択スイッチＴSLの両端間（画素電極５２と信号線１４との間）の電位差に応じたリークで領域１０A内の画素電極５２の電位が上昇する。したがって、領域１０A内の階調は、目標の中間調（領域１０Aの左右の領域の階調）と比較して高階調となる。
【０００４】
垂直走査期間Ｆ1内のうち図柄Ｗの下側の領域ＹW3の各走査線１２が選択される期間ｔ3においては、中間調の電位ＶGR[+]が各信号線１４に供給される。他方、液晶素子５０に負極性の電圧を印加する垂直走査期間Ｆ2では、各信号線１４に供給される階調電位の極性が反転する。すなわち、垂直走査期間Ｆ2内の期間ｔ1および期間ｔ3では各信号線１４に階調電位ＶGR[-]が印加され、期間ｔ2では各信号線１４に階調電位ＶWT[-]が印加される。期間ｔ2にて各信号線１４に階調電位ＶWT[-]が供給されると、選択スイッチＴSLの両端間の電位差に応じたリークで領域１０B内の画素電極５２の電位が低下する。したがって、領域１０B内の階調は、目標の中間調と比較して低階調となる。
【０００５】
以上のように、図柄Ｗの上側および下側の領域の階調が、目標の階調とは異なる階調となる現象（以下「縦クロストーク」という）が発生する。照明装置からの出射光の変調に電気光学素子（特に液晶素子）を利用した投写型の表示装置においては、高照度の照明光の照射に起因した電荷のリーク（光リーク）が選択スイッチＴSLに発生し易いから、縦クロストークの問題は特に深刻である。また、中間調を背景として低階調（黒色）を表示した場合にも同様の原理で縦クロストークが発生する。
【先行技術文献】
【特許文献】
【０００６】
【特許文献１】特開平１０−１７１４２２号公報
【発明の概要】
【発明が解決しようとする課題】
【０００７】
縦クロストークを抑制する技術として、例えば特許文献１には、各走査線１２を選択する期間以外の期間にて、階調電位の最低値を下回る電位Ｖcrを各信号線１４に供給する構成が開示されている。しかし、特許文献１の技術では、電位Ｖcrを各信号線１４に供給する期間を確保する必要があるから、画像表示の高速化（例えば倍速表示）が制約されるという問題がある。以上の事情を背景として、本発明は、画像表示の高速化を制限せずに縦クロストークを有効に抑制することを目的とする。
【課題を解決するための手段】
【０００８】
以上の課題を解決するために、本発明に係る電気光学装置は、複数の走査線と複数の信号線との各交差に対応して配置された複数の画素回路であって、画素電極に供給される階調電位に応じて駆動される電気光学素子と、走査線の選択時に信号線と画素電極とを導通させる選択スイッチとを各々が含む複数の画素回路と、複数の走査線の各々を順次に選択する走査線駆動回路と、画像データが指定する階調に応じた階調電位を走査線の選択時に複数の信号線の各々に供給する信号線駆動回路と、選択スイッチのリークに起因したクロストークが発生するか否かを画像データに基づいて判定する画像判定手段と、クロストークが発生すると画像判定手段が判定した場合に、クロストークが発生しないと画像判定手段が判定した場合と比較して、高階調および低階調の一方に対応する階調電位（例えば図３の電位ＶWT[±]および電位ＶBK[±]の一方）が高階調および低階調の他方に対応する階調電位（例えば図３の電位ＶWT[±]および電位ＶBK[±]の他方）に近づくように、各階調に対応する階調電位を制御する電位制御手段とを具備する。以上の形態においては、選択スイッチのリークに起因したクロストークが階調電位の制御で抑制されるから、特許文献１の技術と比較して、画像表示の高速化を制限せずに縦クロストークを有効に抑制できるという利点がある。
【０００９】
本発明の好適な態様に係る電気光学装置は、高階調に対応する階調電位が低階調に対応する階調電位に近づくように電位制御手段が各階調の階調電位を制御する場合に、画像データが指定する階調を高階調側に補正する補正手段を具備する。また、他の態様に係る電気光学装置は、低階調に対応する階調電位が高階調に対応する階調電位に近づくように電位制御手段が各階調の階調電位を制御する場合に、画像データが指定する階調を低階調側に補正する補正手段を具備する。以上の各態様においては、画像データが補正されるから、電位制御手段による階調電位の制御に起因した表示画像の階調の変化を目立たなくすることが可能である。
【００１０】
照射光に対する透過率または反射率が階調電位に応じて変化する液晶素子を電気光学素子として利用し、電気光学素子を照明する照明装置を具備する電気光学装置の好適な態様では、高階調に対応する階調電位が低階調に対応する階調電位に近づくように電位制御手段が各階調の階調電位を制御する場合に、クロストークが発生しないと画像判定手段が判定した場合と比較して照明装置の照度を上昇させる照明制御手段が設置される。また、他の好適な態様では、低階調に対応する階調電位が高階調に対応する階調電位に近づくように電位制御手段が各階調の階調電位を制御する場合に、クロストークが発生しないと画像判定手段が判定した場合と比較して照明装置の照度を低下させる照明制御手段が設置される。以上の態様においては、照明装置の明度が制御されるから、電位制御手段による階調電位の制御に起因した表示画像の階調の変化を目立たなくすることが可能である。
【００１１】
以上の各態様に係る電気光学装置は各種の電子機器に利用される。電子機器の典型例は、電気光学装置を表示装置として利用した機器である。具体的には携帯電話機や携帯情報端末が本発明の電子機器として例示される。また、光源からの出射光を変調する光変調体として以上の各態様の電気光学装置を利用した投写型表示装置も本発明の電子機器の概念に包含される。投写型表示装置は、光線を出射する照明装置と、照明装置からの出射光を変調する以上の各態様の電気光学装置と、電気光学装置による変調光を投射面に投射する投射光学系とを具備する。
【図面の簡単な説明】
【００１２】
【図１】本発明の第１実施形態に係る電気光学装置のブロック図である。
【図２】液晶素子の電圧と階調との関係を示すグラフである。
【図３】階調電位の高低を説明するための模式図である。
【図４】制御回路の動作のフローチャートである。
【図５】画素回路の区分を説明するための模式図である。
【図６】階調の度数分布である。
【図７】縦クロストークが発生し易い画像の模式図である。
【図８】階調電位の波形図である。
【図９】階調電位の波形図である。
【図１０】第２実施形態に係る電気光学装置のブロック図である。
【図１１】補正部の動作を説明するための模式図である。
【図１２】第３実施形態に係る電気光学装置のブロック図である。
【図１３】第４実施形態に係る電気光学装置の制御回路の動作のフローチャートである。
【図１４】電子機器（投写型表示装置）の模式図である。
【図１５】従来の技術における画素回路の回路図である。
【図１６】縦クロストークの発生を説明するための模式図である。
【図１７】従来の技術における階調電位の波形図である。
【発明を実施するための形態】
【００１３】
＜Ａ：第１実施形態＞
図１は、本発明の第１実施形態に係る電気光学装置１００Aのブロック図である。電気光学装置１００Aは、画像を表示する表示体として様々な電子機器に搭載される液晶装置である。図１に示すように、電気光学装置１００Aは、複数の画素回路ＰIXが平面状に配列された素子部（表示領域）１０と、各画素回路ＰIXを駆動する駆動回路３０と、各画素回路ＰIXの駆動用の電位を生成する電位生成回路４０と、駆動回路３０や電位生成回路４０を制御する制御回路６０とを具備する。駆動回路３０は、走査線駆動回路３２と信号線駆動回路３４とを含んで構成される。
【００１４】
素子部１０には、Ｘ方向に延在するＭ本の走査線１２と、Ｘ方向に交差するＹ方向に延在するＮ本の信号線１４とが形成される（Ｍ，Ｎは自然数）。複数の画素回路ＰIXは、各走査線１２と各信号線１４との交差に対応して配置されて縦Ｍ行×横Ｎ列の行列状に配列する。
【００１５】
図１に示すように、各画素回路ＰIXは、液晶素子５０と選択スイッチＴSLとを含んで構成される。液晶素子５０は、画素電極５２と共通電極（対向電極）５４と両電極間の液晶５６とを含む電気光学素子である。画素電極５２は画素回路ＰIX毎に独立に形成され、共通電極５４は複数の画素回路ＰIXにわたって共通に形成される。共通電極５４には共通電位LCCOM（基本的には定電位）が供給される。液晶素子５０の液晶５６は、画素電極５２の電位（画素電極５２と共通電極５４との電位差）に応じた階調（透過率や反射率）に駆動される。図２に示すように、第１実施形態の液晶素子５０は、画素電極５２と共通電極５４との間の電圧実効値が低いほど階調が低下するノーマリーブラックモードで動作する。
【００１６】
第ｎ列の各画素回路ＰIXの選択スイッチＴSLは、画素電極５２と第ｎ列の信号線１４との間に介在して両者の電気的な接続（導通／非導通）を制御する。第ｍ行の各画素回路ＰIXの選択スイッチＴSLのゲートは第ｍ行の走査線１２に接続される。走査線１２が選択されると選択スイッチＴSLがオン状態に遷移して画素電極５２と信号線１４とが導通する。図１の走査線駆動回路３２は、各垂直走査期間内にてＭ本の走査線１２の各々（画素回路ＰIXの各行）を順次に選択する。
【００１７】
制御回路６０は、同期信号などの各種の制御信号を駆動回路３０や電位生成回路４０に供給する。例えば、制御回路６０は、液晶素子５０の印加電圧の極性を指示する極性信号ＰOLを信号線駆動回路３４に供給する。極性信号ＰOLが指示する極性は垂直走査期間毎に順次に反転する。すなわち、第１実施形態の交流駆動方式は、素子部１０内の各電気光学素子の印加電圧の極性（同極性）を垂直走査期間毎に反転させる面反転方式（フレーム反転方式）である。また、制御回路６０は、各画素回路ＰIXの階調を指定する画像データＤGを信号線駆動回路３４に出力する。
【００１８】
電位生成回路４０は、共通電極５４に供給される共通電位LCCOMと、正極性の電位ＶWT[+]および負極性の電位ＶWT[-]と、正極性の電位ＶBK[+]および負極性の電位ＶBK[-]とを生成する。以下に詳述するように、電位ＶWT[±]は、画素電極５２に供給された場合に液晶素子５０が高階調側（例えば白色）に制御されるように選定され、電位ＶBK[±]は、画素電極５２に供給された場合に液晶素子５０が低階調側（例えば黒色）に制御されるように選定される。
【００１９】
図３に示すように、正極性の電位ＶWT[+]は、共通電位LCCOMの高位側の電位（電位ｗ0[+]または電位ｗc[+]）に設定され、負極性の電位ＶWT[-]は、共通電位LCCOMの低位側の電位（電位ｗ0[-]または電位ｗc[-]）に設定される。電位ｗ0[±]は、図２に示すように、最高階調ＧH_maxに対応する実効電圧ＶH_maxが液晶素子５０に印加されるように選定され、電位ｗc[±]は、高階調ＧHに対応する実効電圧ＶH（ＶH＜ＶH_max）が液晶素子５０に印加されるように選定される。すなわち、電位ｗc[±]は、電位ｗ0[±]に対して共通電位LCCOM側の電位である。
【００２０】
図３に示すように、正極性の電位ＶBK[+]は、電位ＶWT[+]からみて共通電位LCCOM側の電位（電位ｕc[+]または共通電位LCCOM）に設定され、負極性の電位ＶBK[-]は、電位ＶWT[-]からみて共通電位LCCOM側の電位（電位ｕc[-]または共通電位LCCOM）に設定される。共通電位LCCOMが電位ＶBK[±]として画素電極５２に供給された場合、図２に示すように、実効電圧ＶL_min（ゼロ）が印加されることで液晶素子５０は最低階調ＧL_minに制御される。他方、電位ｕc[±]は、低階調ＧLに対応する実効電圧ＶL（ＶL＞ＶL_min）が液晶素子５０に印加されるように選定される。すなわち、電位ｕc[+]は共通電位LCCOMよりも高く、電位ｕc[-]は共通電位LCCOMよりも低い。
【００２１】
図１の信号線駆動回路３４は、走査線駆動回路３２による走査線１２の選択に同期して各信号線１４に階調電位Ｘ[1]〜Ｘ[N]を出力する。第ｍ行の走査線１２の選択時に第ｎ列の信号線１４に供給される階調電位Ｘ[n]は、第ｍ行の第ｎ列の画素回路ＰIXについて画像データＤGが指定する階調に応じて設定される。
【００２２】
図１に示すように、信号線駆動回路３４は、相異なる信号線１４に対応するＮ個の単位回路３６[1]〜３６[N]を含んで構成される。第ｎ列の単位回路３６[n]は、階調電位Ｘ[n]を生成して第ｎ列の信号線１４に出力する。具体的には、極性信号ＰOLが正極性を指示する場合、単位回路３６[n]は、電位生成回路４０から供給される電位ＶWT[+]から電位ＶBK[+]までの範囲内（すなわち正極性の範囲内）の複数の電位のうち画像データＤGが指定する階調に応じた電位を階調電位Ｘ[n]として選択および出力する。他方、極性信号ＰOLが負極性を指示する場合、単位回路３６[n]は、電位生成回路４０から供給される電位ＶWT[-]から電位ＶBK[-]までの範囲内（すなわち負極性の範囲内）の複数の電位のうち画像データＤGが指定する階調に応じた電位を階調電位Ｘ[n]として選択および出力する。例えば、電位ＶWT[±]と電位ＶBK[±]とを抵抗分割した複数の電位の何れかを画像データＤGに応じて選択する抵抗ラダー型のＤ/Ａ変換器が単位回路３６[n]として利用される。
【００２３】
図１に示すように、制御回路６０は、画像判定部６２と電位制御部６４とを含んで構成される。画像判定部６２は、選択スイッチＴSLのリークに起因した縦クロストークが表示画像に発生するか否かを画像データＤGに基づいて判定する。概略的には、画像判定部６２は、画像データＤGで指定される画像が、図１６に示したように中間調を背景として高階調または低階調の図柄Ｗを配置した画像（すなわち、縦クロストークが顕在化し易い画像）に該当するか否かに応じて、縦クロストークが発生する可能性の有無を判定する。電位制御部６４は、画像判定部６２による判定の結果に応じて階調電位Ｘ[n]の範囲を可変に制御する。すなわち、縦クロストークが発生する場合に、電位制御部６４は、縦クロストークが観察者に知覚され難くなるように階調電位Ｘ[n]の変動の範囲を縮小する。図４は、画像判定部６２および電位制御部６４による処理のフローチャートである。垂直走査期間毎に図４の処理が実行される。
【００２４】
画像判定部６２は、図５に示すように、縦Ｍ行×横Ｎ列の画素回路ＰIXを所定の個数毎に区分した複数の集合（以下「処理単位」という）Ｇの各々について、当該処理単位Ｇ内の各画素回路ＰIXに指定された階調の平均値を算定する（Ｓ1）。処理単位Ｇは、縦ｐ個×横ｑ個の画素回路ＰIXの集合である。すなわち、縦Ｍ/ｐ個×横Ｎ/ｑ個の処理単位Ｇが素子部１０内に画定されるとともに処理単位Ｇ毎に階調の平均値が算定される。画像判定部６２は、Ｙ方向に配列するＭ/ｐ個の処理単位Ｇで構成されるＮ/ｑ個の集合（以下「単位列ＧY」という）の何れかを選択し（Ｓ2）、選択した単位列ＧY（以下「対象単位列ＧY」という）についてステップＳ3以降の処理を実行する。
【００２５】
画像判定部６２は、対象単位列ＧY内の各処理単位Ｇについて算定されたＭ/ｐ個の階調（平均値）について階調毎の度数（度数分布）を計数する（Ｓ3）。図６に示すように、度数分布上の階級に相当する階調は、中間調に相当する中間調範囲ＡGRと、中間調範囲ＡGRの高階調側に位置する高階調範囲ＡWTと、中間調範囲ＡGRの低階調側に位置する低階調範囲ＡBKとに区分される。図１５ないし図１７の説明から理解されるように、高階調範囲ＡWT内の階調と中間調範囲ＡGR内の階調とが同列内に混在する画像や、低階調範囲ＡBK内の階調と中間調範囲ＡGR内の階調とが同列内に混在する画像を表示する場合に、縦クロストークが顕在化するという傾向がある。
【００２６】
画像判定部６２は、度数分布における中間調範囲ＡGR内の度数（合計値）ＦGRが所定の閾値ＴH_GRを上回るか否かを判定する（Ｓ4）。度数ＦGRが閾値ＴH_GRを下回る場合、対象単位列ＧYについて縦クロストークが顕在化する可能性は低いから、画像判定部６２は、対象単位列ＧYに縦クロストークは発生しないと判定する（Ｓ5）。
【００２７】
他方、度数ＦGRが閾値ＴH_GRを上回る場合（Ｓ4：YES）、画像判定部６２は、中間調範囲ＡGR内の階調の分散ＶGRが所定の閾値ＴH_Vを下回るか否かを判定する（Ｓ6）。図５に破線で示すように、分散ＶGRが閾値ＴH_Vを上回るほど対象単位列ＧY内の階調が広範囲に分散している場合（すなわち様々な階調が混在する場合）には、縦クロストークは観察者に知覚され難い。そこで、画像判定部６２は、分散ＶGRが閾値ＴH_Vを上回る場合には（Ｓ6：NO）、対象単位列ＧYに縦クロストークは発生しないと判定する（Ｓ5）。
【００２８】
図５に実線で示すように分散ＶGRが閾値ＴH_Vを下回る場合（Ｓ6：YES）、画像判定部６２は、高階調範囲ＡWT内の度数ＦWTが所定の閾値ＴH_WTを上回るか否かを判定する（Ｓ7）。度数ＦWTが閾値ＴH_WTを上回る場合（すなわち、高階調範囲ＡWT内の階調と中間調範囲ＡGR内の階調とが対象単位列ＧY内に混在する場合）、画像判定部６２は、高階調（高階調範囲ＡWT内の階調）の図柄Ｗに起因した縦クロストークが発生すると判定する（Ｓ8）。
【００２９】
他方、度数ＦWTが閾値ＴH_WTを下回る場合（Ｓ7：NO）、画像判定部６２は、低階調範囲ＡBK内の度数ＦBKが所定の閾値ＴH_BKを上回るか否かを判定する（Ｓ9）。度数ＦBKが閾値ＴH_BKを上回る場合（すなわち、低階調範囲ＡBK内の階調と中間調範囲ＡGR内の階調とが対象単位列ＧY内に混在する場合）、画像判定部６２は、低階調（低階調範囲ＡBK内の階調）の図柄Ｗに起因した縦クロストークが発生すると判定する（Ｓ10）。他方、度数ＦBKが閾値ＴH_BKを下回る場合（Ｓ9：NO）、画像判定部６２は、対象単位列ＧYに縦クロストークは発生しないと判定する（Ｓ5）。
【００３０】
縦クロストークが発生しないと判定した場合（Ｓ5）、画像判定部６２は、素子部１０内の総ての単位列ＧYについて縦クロストークの発生の有無の判定が完了したか否かを判定する（Ｓ11）。判定が完了していない場合、画像判定部６２は、別の単位列ＧYを選択したうえで（Ｓ2）、ステップＳ3以後の処理を実行する。
【００３１】
総て（Ｎ/ｑ個）の単位列ＧYについて縦クロストークが発生しないと判定した場合（Ｓ11：YES）、図３の部分(A)に示すように、正極性の電位ＶWT[+]が電位ｗ0[+]に設定され、負極性の電位ＶWT[-]が電位ｗ0[-]に設定され、電位ＶBK[±]が共通電位LCCOMに設定されるように、電位制御部６４は電位生成回路４０を制御する（Ｓ12）。したがって、極性信号ＰOLが正極性を指示する垂直走査期間では、階調電位Ｘ[n]は、共通電位LCCOMから電位ｗ0[+]までの範囲内で画像データＤGに応じた電位に設定され、極性信号ＰOLが負極性を指示する垂直走査期間では、階調電位Ｘ[n]は、共通電位LCCOMから電位ｗ0[-]までの範囲内で画像データＤGに応じた電位に設定される。
【００３２】
他方、高階調の図柄Ｗに起因した縦クロストークが発生すると判定された場合（Ｓ8）、電位制御部６４は、電位ＶWT[±]が電位ＶBK[±]に近づくように電位生成回路４０を制御する（Ｓ13）。具体的には、図３の部分(B)に示すように、正極性の電位ＶWT[+]が、縦クロストークの非発生の場合の電位ｗ0[+]と比較して共通電位LCCOM側の電位ｗc[+]に設定され、かつ、負極性の電位ＶWT[-]が、縦クロストークの非発生の場合の電位ｗ0[-]と比較して共通電位LCCOM側の電位ｗc[-]に設定される。電位ＶBK[±]は、縦クロストークの非発生の場合と同様に共通電位LCCOMに設定される。
【００３３】
したがって、極性信号ＰOLが正極性を指示する垂直走査期間では、階調電位Ｘ[n]は、共通電位LCCOMから電位ｗc[+]までの範囲内（すなわち、縦クロストークの非発生の場合と比較して狭い範囲内）で画像データＤGに応じた電位に設定され、極性信号ＰOLが負極性を指示する垂直走査期間では、階調電位Ｘ[n]は、共通電位LCCOMから電位ｗc[-]までの範囲内で画像データＤGに応じた電位に設定される。
【００３４】
すなわち、図７の部分(A)のように中間調を背景として高階調（白色）の図柄Ｗを表示する場合（高階調の図柄Ｗに起因した縦クロストークが発生し得る場合）、図８に示すように、垂直走査期間Ｆ1内の期間ｔ1にて領域ＸW（図柄Ｗを含む縦方向の領域）内の各信号線１４に供給される階調電位Ｘ[n]（電位ＶGR[+]）と、期間ｔ2にて領域ＸW内の各信号線１４に供給される階調電位Ｘ[n]（電位ＶWT[+]＝ｗc[+]）との差異が低減される。また、垂直走査期間Ｆ1内の期間ｔ3にて領域ＸW内の各信号線１４に供給される階調電位Ｘ[n]（電位ＶGR[+]）と、垂直走査期間Ｆ2内の期間ｔ2にて領域ＸW内の各信号線１４に供給される階調電位Ｘ[n]（電位ＶWT[-]＝ｗc[-]）との差異が低減される。以上のように信号線１４の階調電位Ｘ[n]の変動（選択スイッチＴSLの両端間の電位差）が抑制されるから、選択スイッチＴSLのリークに起因した画素電極５２の電位の変動は抑制される。したがって、中間調の背景に高階調の図柄Ｗを表示した場合の縦クロストークを知覚され難くすることが可能である。
【００３５】
他方、低階調の図柄Ｗに起因した縦クロストークが発生すると判定された場合（Ｓ10）、電位制御部６４は、電位ＶBK[±]が電位ＶWT[±]に近づくように電位生成回路４０を制御する（Ｓ14）。具体的には、図３の部分(C)に示すように、正極性の電位ＶBK[+]が、共通電位LCCOM（縦クロストークの非発生の場合の電位ＶBK[+]）と比較して正極性の電位ＶWT[+]側の電位ｕc[+]に設定され、負極性の電位ＶBK[-]が、共通電位LCCOMと比較して負極性の電位ＶWT[-]側の電位ｕc[-]に設定される。電位ＶWT[±]は、縦クロストークの非発生の場合と同様に電位ｗ0[±]に設定される。
【００３６】
したがって、極性信号ＰOLが正極性を指示する垂直走査期間では、階調電位Ｘ[n]は、電位ｕc[+]から電位ｗ0[+]までの範囲内（すなわち、縦クロストークの非発生の場合と比較して狭い範囲内）で画像データＤGに応じた電位に設定され、極性信号ＰOLが負極性を指示する垂直走査期間では、階調電位Ｘ[n]は、電位ｕc[-]から電位ｗ0[-]までの範囲内で画像データＤGに応じた電位に設定される。
【００３７】
すなわち、図７の部分(B)のように中間調を背景として低階調（黒色）の図柄Ｗを表示した場合（低階調の図柄Ｗに起因した縦クロストークが発生する場合）、図９に示すように、垂直走査期間Ｆ1内の期間ｔ1にて領域ＸW内の各信号線１４に供給される階調電位Ｘ[n]（電位ＶGR[+]）と、期間ｔ2にて領域ＸW内の各信号線１４に供給される階調電位Ｘ[n]（電位ＶBK[+]＝ｕc[+]）との差異が低減される。また、垂直走査期間Ｆ1内の期間ｔ3にて領域ＸW内の各信号線１４に供給される階調電位Ｘ[n]（電位ＶGR[+]）と、垂直走査期間Ｆ2内の期間ｔ2にて領域ＸW内の各信号線１４に供給される階調電位Ｘ[n]（電位ＶBK[-]＝ｕc[-]）との差異が低減される。以上のように信号線１４の階調電位Ｘ[n]の変動（選択スイッチＴSLの両端間の電位差）が抑制されるから、選択スイッチＴSLのリークに起因した画素電極５２の電位の変動は抑制される。
【００３８】
以上のように、第１実施形態によれば、中間調の背景に低階調の図柄Ｗを表示した場合の縦クロストークを知覚され難くすることが可能である。そして、縦クロストークを抑制するための電圧を各信号線１４に供給する期間を、各信号線１４に対する階調電位Ｘ[n]の供給の期間とは別個に確保する必要はないから、特許文献１の技術と比較して、画像表示の高速化を容易に実現できるという利点がある。もっとも、縦クロストークを抑制するための電圧を印加する期間が不要であるとは言っても、例えば、階調電位Ｘ[n]の供給に先立って各信号線１４を所定の電位に設定する構成（信号線１４をプリチャージする構成）を本発明の範囲から除外する趣旨ではない。
【００３９】
また、第１実施形態においては、縦クロストークが発生しないと判定された場合に、縦クロストークが発生する場合と比較して階調信号Ｘ[n]の振幅が拡大するから、縦クロストークが発生する可能性の有無に関わらず、階調信号Ｘ[n]の振幅を縦クロストークが目立たない範囲に固定した構成と比較して、液晶素子５０の階調の変動幅を充分に確保できるという利点もある。
【００４０】
＜Ｂ：第２実施形態＞
次に、本発明の第２実施形態について説明する。なお、以下の各例示において作用や機能が第１実施形態と同等である要素については、以上と同じ符号を付して各々の詳細な説明を適宜に省略する。
【００４１】
第１実施形態では、高階調の図柄Ｗに起因した縦クロストークが発生する場合に、電位ＶWT[±]が共通電位LCCOMに近い電位ｗc[±]に変化する（すなわち、液晶素子５０の印加電圧が低下する）から、画像データＤGが最高階調を指定する場合の液晶素子５０の実際の階調は、縦クロストークの非発生の場合の階調ＧH_maxよりも低い階調ＧHとなる。すなわち、表示画像のうち特に高階調の領域の明度が低下する。また、低階調の図柄Ｗに起因した縦クロストークが発生する場合に、電位ＶBK[±]が共通電位LCCOMとは異なる電位ｕc[±]に変化する（すなわち、液晶素子５０の印加電圧が上昇する）から、画像データＤGが最低階調を指定する場合の液晶素子５０の実際の階調は、縦クロストークの非発生の場合の階調ＧL_minよりも高い階調ＧLとなる。すなわち、表示画像のうち特に低階調の領域の明度が上昇する（黒浮きが発生する）。以上のように第１実施形態においては、高階調の領域の明度と低階調の領域の明度との差異（コントラスト）が低下する可能性がある。第２実施形態は、電位ＶWT[±]や電位ＶBK[±]の変更に起因した表示画像の明度の変化を目立たなくするための形態である。
【００４２】
図１０に示すように、第２実施形態の電気光学装置１００Bは、第１実施形態の電気光学装置１００Aの制御回路６０に補正部６６を追加した構成である。補正部６６は、画像データＤGを補正する。補正部６６による補正後の画像データＤGが信号線駆動回路３４に供給される。
【００４３】
図１１は、補正部６６による補正の内容を示すグラフである。図１０の横軸は、補正前の画像データＤGが示す階調を示し、図１０の縦軸は、補正後の画像データＤGが示す階調を示す。高階調の図柄Ｗに起因した縦クロストークが発生する場合（Ｓ8）、補正部６６は、図１１に符号ｇ1で示すように、画像データＤGが指定する各階調を高階調側に補正する。具体的には、補正部６６は、１を下回るガンマ値（γ）を適用したガンマ補正を画像データＤGに対して実行する。したがって、補正の前後の画像データＤGの関係を示すガンマ曲線は上に凸の曲線となる。なお、画像データＤGは以上のように高階調側に補正されるが、最高階調に対応する電位ＶWT[±]は第１実施形態と同様に電位ｗc[±]に設定されるから、補正後の画像データＤGで最高階調が指定された場合の液晶素子５０の実際に階調は図２の高階調ＧHとなる。
【００４４】
他方、低階調の図柄Ｗに起因した縦クロストークが発生する場合（Ｓ10）、補正部６６は、図１１に符号ｇ2で示すように、画像データＤGが指定する各階調を低階調側に補正する。具体的には、補正部６６は、１を上回るガンマ値（γ）を適用したガンマ補正を画像データＤGに対して実行する。したがって、ガンマ曲線は下に凸の曲線となる。なお、画像データＤGは以上のように低階調側に補正されるが、最低階調に対応する電位ＶBK[±]は第１実施形態と同様に電位ｕc[±]に設定されるから、補正後の画像データＤGで最低階調が指定された場合の液晶素子５０の実際の階調は図２の低階調ＧLとなる。
【００４５】
第２実施形態においても第１実施形態と同様の効果が実現される。また、第２実施形態では、高階調の図柄Ｗに起因した縦クロストークが発生する場合に、画像データＤGの示す階調が高階調側に補正される。したがって、縦クロストークの非発生の場合と比較して電位ＶWT[±]が共通電位LCCOM側の電位ｗc[±]に設定されるにも関わらず、電位ＶWT[±]の変化に起因した表示画像の明度の低下を目立たなくすることが可能である。他方、低階調の図柄Ｗに起因した縦クロストークが発生する場合には、画像データＤGの示す階調が低階調側に補正される。したがって、縦クロストークの非発生の場合と比較して電位ＶBK[±]が共通電位LCCOMから離れた電位ｕc[±]に設定されるにも関わらず、電位ＶBK[±]の変化に起因した表示画像の明度の上昇（黒浮き）を目立たなくすることが可能である。以上のように第２実施形態においては、縦クロストークの発生を抑制しながら、表示画像のコントラストを高い水準に維持することが可能である。
【００４６】
＜Ｃ：第３実施形態＞
図１２は、第３実施形態に係る電気光学装置１００Cのブロック図である。電気光学装置１００Cは、照明装置７０と照明制御部６８とを第１実施形態の電気光学装置１００Aに追加した構成である。照明装置７０は、素子部１０（各液晶素子５０）を照明する。例えば、電気光学装置１００Cを直視型の表示装置として利用する場合には、平面型の照明装置（バックライトユニット）が照明装置７０として適用され、電気光学装置１００Cを投写型の表示装置として利用する場合には、メタルハライドランプなどの光源が照明装置７０として適用される。
【００４７】
照明制御部６８は、照明装置７０の照度（出射光の強度）を可変に制御する。具体的には、高階調の図柄Ｗに起因した縦クロストークが発生すると画像判定部６２が判定した場合（Ｓ8）、照明制御部６８は、縦クロストークの非発生の場合と比較して照明装置７０の照度を上昇させる。また、低階調の図柄Ｗに起因した縦クロストークが発生すると画像判定部６２が判定した場合（Ｓ10）、照明制御部６８は、縦クロストークの非発生の場合と比較して照明装置７０の照度を低下させる。
【００４８】
第３実施形態においても第１実施形態と同様の効果が実現される。また、第３実施形態においては、高階調の図柄Ｗに起因した縦クロストークが発生する場合に照明装置７０の照度が上昇する。したがって、縦クロストークの非発生の場合と比較して電位ＶWT[±]が共通電位LCCOM側の電位ｗc[±]に設定されるにも関わらず、電位ＶWT[±]の変化に起因した表示画像の明度の低下を目立たなくすることが可能である。他方、低階調の図柄Ｗに起因した縦クロストークが発生する場合には照明装置７０の照度が低下する。したがって、縦クロストークの非発生の場合と比較して電位ＶBK[±]が共通電位LCCOMから離れた電位ｕc[±]に設定されるにも関わらず、電位ＶBK[±]の変化に起因した表示画像の明度の上昇（黒浮き）を目立たなくすることが可能である。以上のように第３実施形態においても、第２実施形態と同様に、縦クロストークの抑制と表示画像のコントラストの維持とを両立することが可能である。
【００４９】
＜Ｄ：第４実施形態＞
第１実施形態においては、高階調範囲ＡWT内または低階調範囲ＡBK内の階調と中間調範囲ＡGR内の階調とが同列内に混在する場合に縦クロストークが発生すると判定した。しかし、以上の条件を満たす場合でも、高階調範囲ＡWT内または低階調範囲ＡBK内の階調と中間調範囲ＡGR内の階調とが近い場合には縦クロストークは目立たない場合がある。そこで、第４実施形態の画像判定部６２は、高階調範囲ＡWT内または低階調範囲ＡBK内の階調と中間調範囲ＡGR内の階調との差異が大きい場合に限って縦クロストークの発生を肯定する。
【００５０】
図１３は、第４実施形態に係る制御回路６０（画像判定部６２，電位制御部６４）の動作の部分的なフローチャートである。第４実施形態の動作は、第１実施形態（図４）の動作にステップＳ21とステップＳ22とを追加した内容である。他の処理の内容は第１実施形態と同様であるから詳細な説明を省略する。
【００５１】
高階調範囲ＡWT内の度数ＦWTが閾値ＴH_WTを上回る場合（Ｓ7：YES）、画像判定部６２は、高階調範囲ＡWT内の最頻値（度数分布のピーク）に対応する階調と中間調範囲ＡGR内の最頻値に対応する階調との差異δWT（図６参照）が閾値ＴH_δWTを上回るか否かを判定する（Ｓ21）。そして、画像判定部６２は、差異δWTが閾値ＴH_δWTを上回る場合には縦クロストークが発生すると判定し（Ｓ8）、差異δWTが閾値ＴH_δWTを下回る場合には縦クロストークが発生しないと判定する（Ｓ5）。
【００５２】
また、低階調範囲ＡBK内の度数ＦBKが閾値ＴH_BKを上回る場合（Ｓ9：YES）、画像判定部６２は、低階調範囲ＡBK内の最頻値に対応する階調と中間調範囲ＡGR内の最頻値に対応する階調との差異δBKが閾値ＴH_δBKを上回るか否かを判定する（Ｓ22）。そして、画像判定部６２は、差異δBKが閾値ＴH_δBKを上回る場合には縦クロストークが発生すると判定し（Ｓ10）、差異δBKが閾値ＴH_δBKを下回る場合には縦クロストークが発生しないと判定する（Ｓ5）。
【００５３】
第４実施形態においても第１実施形態と同様の効果が実現される。また、第４実施形態では、実際に縦クロストークが目立つ場合に限って画像判定部６２が縦クロストークの発生を肯定するから、電位ＶWT[±]や電位ＶBK[±]の変化に起因した表示画像のコントラストの低下を抑制することが可能である。
【００５４】
＜Ｅ：変形例＞
以上の各形態には様々な変形が加えられる。具体的な変形の態様を以下に例示する。以下の例示から任意に選択された２以上の態様は併合され得る。
【００５５】
（１）変形例１  
以上の各形態においては高階調の図柄Ｗに起因した縦クロストークと低階調の図柄Ｗに起因した縦クロストークとの双方を検出したが、何れか一方の縦クロストークの発生の有無のみを判定する構成も採用される。したがって、高階調に対応する電位ＶWT[±]を電位ｗ0[±]または電位ｗc[±]に設定する処理と、低階調に対応する電位ＶBK[±]を共通電位LCCOMまたは電位ｕc[±]に設定する処理との一方のみを実行する構成も採用され得る。
【００５６】
（２）変形例２  
縦クロストークの可能性を判定する処理の内容は適宜に変更される。例えば、図７の部分(A)や部分(B)のような画像を記憶回路（図示略）に保持し、画像データＤGで指定される画像と記憶回路内の画像との類否に応じて縦クロストークの発生の有無を判定する（両画像が類似する場合に縦クロストークの発生を肯定する）構成も好適である。
【００５７】
（３）変形例３  
液晶素子５０は電気光学素子の例示である。例えば、電気泳動素子や発光素子（例えば有機ＥＬ素子）を以上の各形態の液晶素子５０に置換した構成も採用される。また、画素電極５２と共通電極５４との間の電圧実効値が低いほど階調が上昇するノーマリーホワイトモードの液晶素子５０を採用した電気光学装置１００にも以上の各形態が同様に適用される。電気光学素子は、電圧（電界）の印加や電流の供給などの電気的な作用に応じて階調（透過率や輝度などの光学的な特性）が変化する被駆動素子として包括される。
【００５８】
＜Ｆ：応用例＞
次に、以上の各形態に係る電気光学装置１００（１００A，１００B，１００C）を利用した電子機器について説明する。図１４は、投写型表示装置（プロジェクタ）９０を電子機器として例示する模式図である。図１４に示すように、投射型表示装置９０は、照明装置９２（例えば第３実施形態の照明装置７０）と分離光学系９４と以上の各形態に係る３個の電気光学装置１００（１００r，１００g，１００b）と投射光学系９６とを具備する。電気光学装置１００は、透過型の液晶装置である。
【００５９】
分離光学系９２は、照明装置９２から出射した照明光を複数の単色光（赤色光，緑色光，青色光）に分離して各電気光学装置１００に照射する。具体的には、照明光のうちの赤色光ｒは、ダイクロイックミラー９４１およびミラー９４２による反射後に電気光学装置１００rに入射する。ダイクロイックミラー９４１を透過した緑色光ｇは、ダイクロイックミラー９４３にて反射されて電気光学装置１００gに入射する。ダイクロイックミラー９４３を透過した青色光ｂは、ミラー９４４およびミラー９４５による反射後に電気光学装置１００bに入射する。
【００６０】
各電気光学装置１００は、入射光を変調して画像を形成する光変調器（ライトバルブ）として利用される。電気光学装置１００rは、ミラー９４２から到来する赤色光ｒを変調して赤色の画像を形成する。同様に、電気光学装置１００gは緑色の画像を形成し、電気光学装置１００bは青色の画像を形成する。投射光学系９６は、各電気光学装置１００からの出射光を表示面９８に投射する。投射光学系９６は、各電気光学装置１００からの出射光（赤色光，緑色光，青色光）を合成するダイクロイックプリズム９６１と、ダイクロイックプリズム９６１からの出射光を表示面９８に投射する投射レンズ９６２とを含んで構成される。したがって、表示面９８にはカラー画像が表示される。
【００６１】
なお、以上の各形態に係る電気光学装置１００は、図１４に例示した投写型の表示装置９０のほか、直視型の表示装置としても利用される。本発明に係る電気光学装置が適用される電子機器としては、パーソナルコンピュータ，携帯電話機，携帯情報端末，デジタルスチルカメラ，テレビ，ビデオカメラ，カーナビゲーション装置，ページャ，電子手帳，電子ペーパー，電卓，ワードプロセッサ，ワークステーション，テレビ電話，ＰＯＳ端末，プリンタ，スキャナ，複写機，ビデオプレーヤ，タッチパネルを備えた機器等などが挙げられる。
【符号の説明】
【００６２】
１００（１００A，１００B，１００C）……電気光学装置、１０……素子部、ＰIX……画素回路、１２……走査線、１４……信号線、３０……駆動回路、３２……走査線駆動回路、３４……信号線駆動回路、３６[1]〜３６[N]……単位回路、４０……電位生成回路、５０……液晶素子、５２……画素電極、５４……共通電極、５６……液晶、ＴSL……選択スイッチ、６０……制御回路、６２……画像判定部、６４……電位制御部、６６……補正部、６８……照明制御部。
【図１】
2011034027.tif 000003
【図２】
2011034027.tif 000004
【図３】
2011034027.tif 000005
【図４】
2011034027.tif 000006
【図５】
2011034027.tif 000007
【図６】
2011034027.tif 000008
【図７】
2011034027.tif 000009
【図８】
2011034027.tif 000010
【図９】
2011034027.tif 000011
【図１０】
2011034027.tif 000012
【図１１】
2011034027.tif 000013
【図１２】
2011034027.tif 000014
【図１３】
2011034027.tif 000015
【図１４】
2011034027.tif 000016
【図１５】
2011034027.tif 000017
【図１６】
2011034027.tif 000018
【図１７】
2011034027.tif 000019